(57)【要約】【目的】コスト高となる問題を解決し、箱形係合部下端の稜線を滑らかに形成して軸筒にクリップを取付けた際の見栄えを良くする。【構成】クリップ後端の基部を軸体の外面に突設して設けられた取付け部に係合してなる筆記具のクリップの固定構造であって、クリップの基部には、上面に対し両側に垂直な側面が設けられ、また上面の後端から前方に向かって切欠部が設けられると共にその切欠部の周面に係止凹凸部が形成され、また、軸体の取付け部には、上端の横断面形状が略Ｔ字状を呈して天井部と心壁部が形成され、その心壁部の両側に係合溝が形成されて、クリップの係止凹凸部が心壁部に係合し、更にクリップの係止凹凸部の周縁が軸体の係合溝に係止された状態で固定可能となる。【選択図】図８
2004202810.tif 000002
【特許請求の範囲】
【請求項１】
クリップ後端の基部を軸体の外面に突設して設けられた取付け部に係合してなる筆記具のクリップの固定構造に於いて、前記クリップの基部には、上面に対し両側に垂直な側面が設けられ、また上面の後端から前方に向かって切欠部が設けられると共にその切欠部の周面に係止凹凸部が形成され、また、軸体の取付け部には、上端の横断面形状が略Ｔ字状を呈して天井部と心壁部が形成され、その心壁部の両側に係合溝が形成されて、前記クリップの係止凹凸部が心壁部に係合し、更にクリップの係止凹凸部の周縁が軸体の係合溝に係止された状態で固定されてなる筆記具のクリップの固定構造。
【請求項２】
軸体の天井部が、クリップの切欠部を完全に覆った状態で、且つ装飾性を有した形状に設けられてなる請求項１に記載の筆記具のクリップの固定構造。
【請求項３】
軸体の取付け部下端と軸体の周面とが交わる接合稜線にクリップ基部に設けられた垂直な側面の内側端部が略当接状態となるように構成された請求項１に記載の筆記具のクリップの固定構造。
【請求項４】
軸体の取付け部下端の両側に傾斜状の段部が形成され、その段部にクリップ基部に設けられた垂直な側面の端部が略当接状態となるように構成された請求項１に記載の筆記具のクリップの固定構造。
【請求項５】
軸体の取付け部下端の両側に凹部が形成され、その凹部にクリップ基部に設けられた垂直な側面の端部が嵌入状態となるように構成された請求項１に記載の筆記具のクリップの固定構造。
【発明の詳細な説明】
【０００１】
【産業上の利用分野】
本発明は、樹脂成形品からなる筆記具の軸体等にクリップを固定する構造に関する。
【０００２】
【従来の技術】
【特許文献１】実公平７−５０２３６
【特許文献２】特開２００２−２８３７９１
従来、射出成形等からなる樹脂成形品の軸体等に別部材のクリップを簡便に固
定する手段として
【特許文献１】が知られている。このものは、クリップ片の箱形係合部の折曲部をキャップ本体に突設した突状係合部の凹溝に係合させてクリップをキャップ本体に固定している。
また、同様に樹脂成形品の軸体に別部材のクリップを簡便に固定する手段として
【特許文献２】が知られている。このものも、クリップの係合突部が軸体の係合溝に係合されてクリップを軸体に固定している。
ところで、
【特許文献１】に示されるクリップは、通常は金属製のクリップの形態であり、前記クリップ片の箱形係合部下端の内側方向に折曲部が設けられている。折曲部が設けられない場合と比較すると加工工程（プレス曲げ加工）が２工程ほど余分にかかりコスト高となる問題と、箱形係合部下端の稜線を滑らかに形成することが困難で外観状の見栄えが悪い問題がある。
また、
【特許文献２】に示されるクリップは、通常は樹脂製のクリップの形態であり、やはり軸体の係合溝に係合するクリップの係合突部が内側方向に形成されている為に、成形時の離型のために金型構造が複雑となったり、金型の成形品取り数が少なくなったりし、且つ成形効率が悪くなるのでコスト高となる問題がある。
【０００３】
【発明が解決しようとする課題】
本発明は、上述した従来例のコスト高となる問題を解決することや、箱形係合部下端の稜線を滑らかに形成して軸筒にクリップを取付けた時の見栄えを良くすることを課題とする。
【０００４】
【課題を解決するための手段】
本発明は、上記課題を達成する為に以下の構成を有する。
請求項１に記載の発明に係る筆記具のクリップの固定構造は、クリップ後端の基部を軸体の外面に突設して設けられた取付け部に係合してなる筆記具のクリップの固定構造に於いて、前記クリップの基部には、上面に対し両側に垂直な側面が設けられ、また上面の後端から前方に向かって切欠部が設けられると共にその切欠部の周面に係止凹凸部が形成され、また、軸体の取付け部には、上端の横断面形状が略Ｔ字状を呈して天井部と心壁部が形成され、その心壁部の両側に係合溝が形成されて、前記クリップの係止凹凸部が心壁部に係合し、更にクリップの係止凹凸部の周縁が軸体の係合溝に係止された状態で固定されてなる。
【０００５】
請求項２に記載の発明に係る筆記具のクリップの固定構造は、請求項１に記載の筆記具のクリップの固定構造に於いて、軸体の天井部が、クリップの切欠部を完全に覆った状態で、且つ装飾性を有した形状に設けられてなる。
【０００６】
請求項３に記載の発明に係る筆記具のクリップの固定構造は、請求項１に記載の筆記具のクリップの固定構造に於いて、軸体の取付け部下端と軸体の周面とが交わる接合稜線にクリップ基部に設けられた垂直な側面の内側端部が略当接状態となるように構成されたことを特徴とする。
【０００７】
請求項４に記載の発明に係る筆記具のクリップの固定構造は、請求項１に記載の筆記具のクリップの固定構造に於いて、軸体の取付け部下端の両側に傾斜状の段部が形成され、その段部にクリップ基部に設けられた垂直な側面の端部が略当接状態となるように構成されたことを特徴とする。
【０００８】
請求項５に記載の発明に係る筆記具のクリップの固定構造は、請求項１に記載の筆記具のクリップの固定構造に於いて、軸体の取付け部下端の両側に凹部が形成され、その凹部にクリップ基部に設けられた垂直な側面の端部が嵌入状態となるように構成されたことを特徴とする。
【０００９】
【実施例】
筆記具のデザイン仕様の１つとして射出成形等からなる樹脂成形品の軸体、天冠、クリップ、機構部、その他飾りなどを複雑な形状や透明、着色透明、種々の色などを組み合わせて構成することが人気となっている。
本発明は、上記のようなデザイン仕様を満足させると共に上述した従来技術による問題点を克服する筆記具のクリップの固定構造を提案するものである。
図１に示す実施例の軸体２は、ボールペン等筆記具の筆記先端部を被覆して取り付けられるキャップの形態を示しているが、本発明の意図する軸体はボールペンやサインペンなどの一般的な筆記具に使用される軸筒やキャップである。
【００１０】
以下、図面に基づき本発明の一実施例について説明する。
図７乃至図９はクリップの形態を示している。クリップ３は、クリップ片３ａの前端内面側に玉部３ｂを有し、後端に基部３ｃを有している。基部３ｃには、上面３ｄに対し両側に垂直（箱形）の側面部が設けられており、また側面部の端面は滑らかな曲線となった稜線部３ｅ（無論直線でもよい）が形成されている。
また、上面３ｄの後端から前方に向かって切欠部３ｆが設けられると共に、端面３ｈ前方の切欠部周面に係止凹凸部３ｇが形成されている。
係止凹凸部３ｇは、後述する軸筒の材質やクリップの取付け部の形状に合わせて、装着が容易で、且つ強固な固定が期待できる形状が設定される。
クリップ３が金属製の場合には、実施例に示される凹凸形状や鋸刃状の凹凸部が形成され、クリップ片の材質や板厚等を勘案して係合代となる凹凸部の寸法が設定される。また、クリップ３が樹脂製の場合には、実施例に示される凹凸形状に限定されず、装着性や固定性を配慮して設定される。
【００１１】
図２乃至図４は、軸体２にクリップ３を固着し、且つ軸体頭部に天冠４を固定したキャップ（完成品）を示している。図５は軸体のクリップの取付け部２ａの側面形状を拡大して示した図である。また、図６は図５の係合溝２ｆに沿って断面し、その上部より見た拡大図である。また、図１１は軸体２にクリップ３を取付けた状態でクリップの基部３ｃの位置で軸体ごと横断面した図を示している。
【００１２】
軸体２は樹脂成形品で、後方外面の一側にクリップの取付け部２ａが一体に突設して設けられている。尚、軸体をダイキャスト製としたり、軸体を金属製の筒体に別体の取付け部を固着することで得ることも可能である。
【００１３】
図１１に示されるように、軸体の取付け部２ａには、上端に横断面形状が略Ｔ字状を呈した天井部２ｂと心壁部２ｅが形成され、心壁部２ｅの後端に当接部２ｈが設けられている。また心壁部２ｅの両側に天井部２ｂの内段となる上壁部２ｃと下壁部２ｄとの間で係合溝２ｆが形成され、更に心壁部２ｅの両側面に係止凹凸部２ｇが形成されている。また、軸体２の取付け部２ａ下端の両側にクリップ基部に設けられた垂直な側面の端部が略当接状態となる段部２ｉが形成されている。
また図１２は、図１１に対して段部２ｉを形成せずに軸体の取付け部下端と軸体の周面とが交わる接合稜線２ｊとしたものである。この場合、クリップ基部に設けられた垂直な側面の内側端部が略当接状態となるように構成され、そのクリップ基部側面の稜線が浮き出るように強調されて、より効果的に美しさを表現することが可能であり、クリップと軸体の形状や色彩などによって図１１のように段部２ｉとなしたり、図１２のように接合稜線２ｊとなしたりする。
【００１４】
尚、前記係止凹凸部２ｇは必ずしも形成されない。クリップが樹脂製である場合には相互に設けられた係止凹凸部が噛合うように係合して、係合部に過度の応力を懸けないで固定する有効な手段として用いられるが、クリップが金属製の場合にはクリップの係止凹凸部を心壁部に食いつかせることでクリップ基部や軸体取付け部に加わる過度の変形を避けることが望ましい場合もある。
また、相互に設けられた係止凹凸部の高低差を微小にして多数設け、係合精度を上げることも可能である。
【００１５】
クリップ３は、後端の切欠部３ｆを軸体の取付け部２ａの心壁部２ｅに嵌挿する状態で軸体に装着され、クリップの端面３ｈが取付け部２ａの当接部２ｈに当接すると共に、クリップの係止凹凸部３ｇと取付け部の係止凹凸部２ｇが係合し、クリップ基部上面の切欠部３ｆの周縁が軸体取付け部の係合溝２ｆに係止された状態で固定される。
また、係合溝２ｆの溝幅に対してクリップ基部上面の切欠部周縁厚みは略同等に形成されるが、係合溝２ｆの長手方向で係合溝２ｆを形成する上壁部２ｃあるいは下壁部２ｄの所要箇所に凸部を形成して、その部位の溝幅をクリップの切欠部周縁厚みに対し適宜小さくして、クリップの切欠部周縁と係合溝２ｆとの係止を強化することができる。
また、クリップの切欠部周縁の所要箇所をクリップの上面３ｄに対し微小で上側又は下側に変形あるいは上下交互に変形させて、クリップの切欠部周縁と係合溝２ｆとの係止を強化することも可能である。
【００１６】
また、軸体の取付け部２ａの天井部２ｂは、クリップ３の切欠部３ｆを完全に覆った状態に設けられ、クリップ後端の上面３ｄに突出して装飾性を有した様々な形状を具現することが可能となる。
【００１７】
また図１３に示すように、軸体５の取付け部５ａ下端の両側に傾斜状の段部５ｂが形成され、その段部５ｂにクリップ基部に設けられた垂直な側面の端部が略当接状態となるように設けて、クリップ基部に設けられた側面が変形されないように設けることが可能である。
【００１８】
また図１４に示すように、軸体６の取付け部６ａ下端の両側に凹部６ｂが形成され、その凹部６ｂにクリップ基部に設けられた垂直な側面の端部が嵌入状態となるように設けて、クリップ基部に設けられた側面が変形されないように設けることが可能である。
尚、凹部６ｂは、実施例に示すようにその外側に軸体６の外周面から突出した凸部６ｃを形成して設けることができるが、軸体６の外周面に直接窪みをつけて設けることもできる。また、クリップ３を取付け部２ａに係合させた時に、取付け部２ａの前端にクリップの前端３ｉが当接する傾斜状の段部やあるいはクリップの前端３ｉが嵌入する凹部を設けてクリップ基部に設けられた側面が変形されないように設けることも可能である。（図示せず）
【００１９】
【作用】
以上のように、本発明に示されるクリップは、箱形係合部下端の内側方向に設けられた折曲部（金属製）あるいは係合突部（樹脂製）が無いので加工工程が省略される。また、クリップが金属製の場合、箱形係合部下端の内側方向に折曲部をプレス曲げ加工すると、角がだれたり、稜線が滑らかに形成できない問題が生じ、クリップを軸体に取付けた時に取付け部の境界となる稜線部の見栄えが極めて悪い問題があるが、本発明によれば極めて複雑な稜線であっても取付け部の境界となる稜線部が綺麗にフィットした状態となる。
また、取付け部下端の両側あるいは取付け部の前端にクリップの基部の側面あるいは前端が当接する傾斜状の段部や嵌入する凹部を設けることでクリップ基部の側面の変形が防止可能となる。
【００２０】
【発明の効果】
本発明のクリップは加工工程が省略されてコストが低減可能となる。
また、クリップが金属製の場合、クリップを軸体に取付けた時に取付け部の境界となる稜線部が綺麗にフィットした状態となり見栄えが良い。
また、取付け部の天井部がクリップ後端の上面に突出して、様々な装飾性を有した形状が具現化可能となる。
【図面の簡単な説明】
【図１】本発明の筆記具のクリップの固定構造を用いた筆記具の一実施例を示す半断面図である。（軸体２は透明樹脂）
【図２】図１に示す実施例のキャップの断面図である。
【図３】図１に示す実施例のキャップの側面図である。
【図４】図１に示す実施例のキャップの正面図である。
【図５】発明の要旨となる軸体のクリップ取付け部の側面を拡大して示した図である。
【図６】図５に示される係合溝に沿って断面し、その上部から見た拡大図である。
【図７】発明の要旨となるクリップの側面図である。
【図８】クリップの正面図である。
【図９】発明の要旨となるクリップの切欠部を拡大した図である。
【図１０】天冠の断面図である。
【図１１】クリップを取付けた状態の軸体をクリップ基部の位置で横断面した図である。
【図１２】クリップの取付けた状態の軸体をクリップ基部の位置で横断面した図１１に対応する図である。
【図１３】クリップを取付けた状態の軸体をクリップ基部の位置で横断面した別の形態を示す図である。
【図１４】クリップを取付けた状態の軸体をクリップ基部の位置で横断面した更に別の形態を示す図である。
【符号の説明】
１        筆記具
２        軸体
２ａ      取付け部
２ｂ      天井部
２ｃ      上壁部
２ｄ      下壁部
２ｅ      心壁部
２ｆ      係合溝
２ｇ      係止凹凸部
２ｈ      当接部
２ｉ      段部
２ｊ      接合稜線
３        クリップ
３ａ      玉部
３ｂ      玉部
３ｃ      基部
３ｄ      上面
３ｅ      稜線部
３ｆ      切欠部
３ｇ      係止凹凸部
３ｈ      端面
３ｉ      前端
４        天冠
４ａ      脚部
４ｂ      係合部
５        軸体
５ａ      取付け部
５ｂ      傾斜状の段部
６        軸体
６ａ      取付け部
６ｂ      凹部
６ｃ      凸部
【図１】
2004202810.tif 000003
【図２】
2004202810.tif 000004
【図３】
2004202810.tif 000005
【図４】
2004202810.tif 000006
【図５】
2004202810.tif 000007
【図６】
2004202810.tif 000008
【図７】
2004202810.tif 000009
【図８】
2004202810.tif 000010
【図９】
2004202810.tif 000011
【図１０】
2004202810.tif 000012
【図１１】
2004202810.tif 000013
【図１２】
2004202810.tif 000014
【図１３】
2004202810.tif 000015
【図１４】
2004202810.tif 000016